(57)【要約】【課題】用紙幅合わせの真の微調整を行える用紙供給装置及びこれを搭載した画像形成装置を提供する。【解決手段】底面(39)に用紙を載置する給紙部(4)と、底面に対して摺動自在に支持されており、用紙の側端部分に当接する用紙の幅合わせ部材とを具備し、幅合わせ部材は、用紙の側端部分に当接可能な第１カーソル(42)と、第１カーソルの摺動動作に連動し、用紙の側端部分に当接可能な第２カーソル(40)と、第１カーソルに対して第２カーソルを微少に滑動させるべく、雌ねじ(49)が刻設された調整ストッパ(43)と、その外周面に雄ねじ(51)が刻設されており、その回転によって雌ねじに螺合する回転軸(50)とを備える。【選択図】図５
2009126699.tif 000002
【特許請求の範囲】
【請求項１】
底面に用紙を載置する給紙部と、
前記底面に対して摺動自在に支持されており、前記用紙の側端部分に当接する該用紙の幅合わせ部材とを具備し、
該幅合わせ部材は、
前記用紙の側端部分に当接可能な第１カーソルと、
該第１カーソルの摺動動作に連動し、前記用紙の側端部分に当接可能な第２カーソルと、
前記第１カーソルに対して前記第２カーソルを微少に滑動させるべく、雌ねじが刻設された微調整手段と、
その外周面に雄ねじが刻設されており、その回転によって前記雌ねじに螺合する回転軸と
を備えることを特徴とする用紙供給装置。
【請求項２】
請求項１に記載の用紙供給装置であって、
前記微調整手段は、前記第２カーソルに連動可能に構成されており、その内側面に前記雌ねじが刻設されたカーソル連動部であることを特徴とする用紙供給装置。
【請求項３】
請求項１に記載の用紙供給装置であって、
前記微調整手段は、その内側面に、前記用紙のサイズ変更に応じた前記第２カーソルの位置を決定する凹凸溝を有する一方、その外側面に、前記雌ねじが刻設されたカーソル位置決定部であることを特徴とする用紙供給装置。
【請求項４】
請求項３に記載の用紙供給装置であって、
前記第２カーソルに対して前記第１カーソルを微少に滑動させるべく、雌ねじが刻設された他の微調整手段を有する一方、前記回転軸は、前記第１カーソルを前記第２カーソルの移動方向とは相反方向に移動させるべく、前記第１カーソル側の外周面に、前記第２カーソル側の外周面とは逆方向の雄ねじが刻設されており、
該他の微調整手段は、前記第１カーソルに連動可能に構成されており、その内側面に前記雌ねじが刻設された他のカーソル連動部であることを特徴とする用紙供給装置。
【請求項５】
請求項４に記載の用紙供給装置であって、
前記他のカーソル連動部は、前記底面に対して抜き差し可能に構成されており、前記回転軸に螺合して前記第１カーソルを微少移動させることを特徴とする用紙供給装置。
【請求項６】
請求項１から５のいずれか一項に記載の用紙供給装置を搭載したことを特徴とする画像形成装置。
【発明の詳細な説明】
【技術分野】
【０００１】
本発明は、複写機やプリンタ、ファクシミリ等に用いられる用紙供給装置及びこれを搭載した画像形成装置に関するものである。
【背景技術】
【０００２】
この種の用紙供給装置では用紙の幅合わせが行われている。詳しくは、用紙カセットの底面には一対の幅合わせ部材が配置されており、このうち一方の幅合わせ部材にはストッパが設けられている。そして、このストッパを摘みながら当該幅合わせ部材を底面に対して摺動させると、他の幅合わせ部材も同時に摺動し、これら各幅合わせ部材が用紙の側端部分にそれぞれ当接する。これにより、カセット内における用紙の位置が決定する。
【０００３】
ここで、このカセット内には新たな用紙を補充することができるが、同じサイズの用紙をカセットに補充した場合であっても、前回補充した用紙束の幅と今回補充した用紙束の幅とが異なることがある。各用紙束が常に同じ位置で裁断されているとは限らないからである。そのため、用紙の幅合わせの微調整が必要になる（例えば、特許文献１参照）。
【０００４】
【特許文献１】特開平１０−２５０３０号公報
【発明の開示】
【発明が解決しようとする課題】
【０００５】
ところで、上記従来の技術の各幅合わせ部材には、これら一対の幅合わせ部材を摺動させるためのラック及びピニオンの他、凹凸部材もそれぞれ有しており、凹凸部材と凹凸部材とを噛合させることにより、用紙の幅合わせの微調整を行っている。
しかしながら、この構成では、凹凸部材同士の既定のピッチのみで調整され、当該ピッチとは異なる位置での調整は困難であるとの問題が生ずる。
【０００６】
また、これら凹凸部材同士の噛合では、カセットに何等かの衝撃が加わったときには噛合が容易に解かれてしまうとの問題もある。この問題は、凹凸部材同士の噛合を達成すべく、バックラッシュを設けた場合により一層顕著になる。
このように、上記従来の技術では、用紙幅合わせの真の微調整を行う点については依然として課題が残されている。
【０００７】
そこで、本発明の目的は、上記課題を解消し、用紙幅合わせの真の微調整を行える用紙供給装置及びこれを搭載した画像形成装置を提供することである。
【課題を解決するための手段】
【０００８】
上記目的を達成するための第１の発明は、底面に用紙を載置する給紙部と、底面に対して摺動自在に支持されており、用紙の側端部分に当接する用紙の幅合わせ部材とを具備し、幅合わせ部材は、用紙の側端部分に当接可能な第１カーソルと、第１カーソルの摺動動作に連動し、用紙の側端部分に当接可能な第２カーソルと、第１カーソルに対して第２カーソルを微少に滑動させるべく、雌ねじが刻設された微調整手段と、その外周面に雄ねじが刻設されており、その回転によって雌ねじに螺合する回転軸とを備える。
【０００９】
第１の発明によれば、用紙供給装置は、給紙部の底面に対して摺動自在に支持され、用紙の側端部分に当接する用紙の幅合わせ部材を具備している。この幅合わせ部材は、用紙の側端部分に当接可能に構成された第１カーソル及び第２カーソルを備え、この第２カーソルは第１カーソルの摺動動作に連動する。
ここで、この第２カーソルは、微調整手段によって、凹凸部材同士の噛合ではなく、この第１カーソルに対して微少に滑動する。詳しくは、幅合わせ部材は回転軸を有しており、この回転軸の外周面には、微調整手段に刻設された雌ねじに螺合する雄ねじが刻設され、回転軸が回転すると、微調整手段は雄ねじに沿って移動し、第２カーソルの位置について無段階の微調整が可能になる。
【００１０】
このように、既定のピッチで調整する従来の構成よりも細やかな幅合わせ調整が可能になるし、また、上述した凹凸部材の如くの噛合の解除も生じないので、確実な幅合わせを行える。この結果、用紙幅合わせの真の微調整が達成される。
【００１１】
第２の発明は、第１の発明の構成において、微調整手段は、第２カーソルに連動可能に構成されており、その内側面に雌ねじが刻設されたカーソル連動部であることを特徴とする。
第２の発明によれば、第１の発明の作用に加えてさらに、微調整手段が第２カーソルに連動可能に構成されている。そして、この微調整手段は、その内側面に雌ねじが刻設されたカーソル連動部であるので、回転軸が回転すると、カーソル連動部は雄ねじに沿って移動し、第２カーソルを無段階の微調整状態で移動させることができる。
【００１２】
第３の発明は、第１の発明の構成において、微調整手段は、その内側面に、用紙のサイズ変更に応じた第２カーソルの位置を決定する凹凸溝を有する一方、その外側面に、雌ねじが刻設されたカーソル位置決定部であることを特徴とする。
第３の発明によれば、第１の発明の作用に加えてさらに、微調整手段は、その内側面に、用紙のサイズ変更に応じた第２カーソルの位置を決定する凹凸溝を有しており、第２カーソルの大まかな位置が決定可能になる。そして、この微調整手段は、その外側面に、雌ねじが刻設されたカーソル位置決定部であることから、回転軸が回転すると、カーソル位置決定部は雄ねじに沿って移動する。よって、この場合にも第２カーソルを無段階の微調整状態で移動させることができる。
【００１３】
第４の発明は、第３の発明の構成において、第２カーソルに対して第１カーソルを微少に滑動させるべく、雌ねじが刻設された他の微調整手段を有する一方、回転軸は、第１カーソルを第２カーソルの移動方向とは相反方向に移動させるべく、第１カーソル側の外周面に、第２カーソル側の外周面とは逆方向の雄ねじが刻設されており、他の微調整手段は、第１カーソルに連動可能に構成されており、その内側面に雌ねじが刻設された他のカーソル連動部であることを特徴とする。
第４の発明によれば、第３の発明の作用に加えてさらに、他の微調整手段が第１カーソルに連動可能に構成されている。そして、当該他の微調整手段は、その内側面に雌ねじが刻設された他のカーソル連動部である。一方、回転軸は、第１カーソル側の外周面に、第２カーソル側の外周面とは逆方向の雄ねじが刻設されており、第１カーソルは第２カーソルの移動方向とは相反方向に移動可能に構成されている。よって、回転軸が回転すると、他のカーソル連動部は雄ねじに沿って移動し、第１カーソルも無段階の微調整状態で移動させることができる。
【００１４】
第５の発明は、第４の発明の構成において、他のカーソル連動部は、底面に対して抜き差し可能に構成されており、回転軸に螺合して第１カーソルを微少移動させることを特徴とする。
第５の発明によれば、第４の発明の作用に加えてさらに、上述した他のカーソル連動部は、底面に対して抜き差し可能に構成されている。そして、微調整の必要な調整時には、回転軸に螺合して第１カーソルを微少移動させるので、簡易な構成で適切な幅合わせを行うことができる。
【００１５】
第６の発明は、第１から第５の発明の用紙供給装置を搭載した画像形成装置であることを特徴とする。
第６の発明によれば、第１から第５の発明の作用に加えてさらに、用紙が常に一定の位置で画像形成装置に給紙されるので、用紙やトナー等の無駄が抑制される。
【発明の効果】
【００１６】
本発明によれば、簡単な構成で、用紙幅合わせの微調整を確実に行える用紙供給装置及びこれを搭載した画像形成装置を提供することができる。
【発明を実施するための最良の形態】
【００１７】
以下、本発明の実施形態について図面を参照しながら説明する。
図１には、画像形成装置の一例である複合機１が右前上方から示されており、操作者に相対する複合機１の正面と、この複合機１の右側面とが見えている。この複合機１は胴内排紙型の装置本体２を備え、この本体２の内側には排紙トレイ１５が形成されている。
【００１８】
本体２の上側には原稿送り装置８が搭載されており、複合機１を複写機やファクシミリ、ネットワークスキャナとして利用するときには、この送り装置８から原稿を搬送し、その画像面は光学式の画像読取部９にて光学的に読み取られる。
画像読取部９の手前側には操作表示部２０が設置されている。この操作表示部２０には、ユーザの各種操作に供される複数の操作キーやスイッチが配置され、各種情報を表示する表示画面２１が設けられている。
【００１９】
一方、本体２の下部にはフロントローディング式の用紙供給装置３が配置されている。詳しくは、この供給装置３には、本体２の高さ方向に沿って上下２段の用紙カセット（給紙部）４が備えられている。そして、各カセット４はいずれも本体２に対して着脱可能に構成される。なお、本体２の右側面には開閉式の手差しトレイ５が備えられている。
【００２０】
複合機１の内部は図２に示されている。なお、図中に実線で示された矢印は用紙の搬送経路及びその搬送方向を表している。
同図に示されるように、各カセット４には画像形成前の各種の用紙Ｐが積層状態で収容され、この用紙はカセット４から１枚ずつ分離され、左方向に向けて送出される。
【００２１】
供給装置３の左方には用紙搬送部６が配置され、カセット４から送出された用紙は本体２の左側面に沿って上方に向けて搬送される。また、手差しトレイ５から送出された用紙も本体２の右側から左方向に向けて搬送され、その後、上方に向けて搬送される。
この本体２の内部には、用紙搬送方向でみて下流側にレジストローラ７、画像形成部１０及び転写部１１が順番に配置されている。画像形成部１０の右方には光学部１４が備えられており、この光学部１４からは画像形成部１０の感光体ドラムに向けてレーザ光が照射される。
【００２２】
また、用紙搬送方向でみて転写部１１の下流側には、ローラ対を有する定着部１２、及び排出分岐部１３が順番に配置され、片面印刷の場合には、定着部１２から排出された用紙は排出分岐部１３を経て排紙トレイ１５に排出される。
一方、この排出分岐部１３と用紙搬送部６との間には両面印刷用ユニット１８が配置されており、このユニット１８では定着部１２から排出された用紙を用紙搬送部６に戻し、画像形成部１０に向けて再び送出する。
【００２３】
ここで、本実施例の用紙カセット４は、図３に示されるように、複合機１の正面側、つまり、カセット４の正面側には操作面３０が設けられ、この操作面３０の左右両端側には、複合機１の背面側に向けて延びる側面部３４，３６がそれぞれ形成されている。また、これら側面部３４，３６は複合機１の背面側にて端面部３２で連結されており、これら操作面３０、側面部３４，３６及び端面部３２で区画された領域内に枚葉の用紙Ｐが積層された状態で収納される。
【００２４】
この用紙Ｐは、図４に示されるように、底面３８の表側に載置され、この底面３８において複合機１の正面側及び背面側の適宜位置には孔３９がそれぞれ形成されている。この底面３８の表側において、これら孔３９の間には左右方向に沿って摺動する幅合わせ部材４１が配設されており、当該部材４１が横ガイドに相当する。
【００２５】
これに対し、底面３８の裏側には縦ガイドに相当する一対の幅合わせ部材が複合機１の正面側及び背面側にそれぞれ配設されている。
具体的には、この幅合わせ部材は、複合機１の正面側に位置する前カーソル（第１カーソル）４２と、複合機１の背面側に位置する後カーソル（第２カーソル）４０とを備え、これら各カーソル４０，４２は断面視で略Ｌ字状に形成され、左右方向に沿って延びる壁面を有している。
【００２６】
これら各壁面は、複合機１の正面側から背面側に向けて延びる長尺状のガイド部材３７に立設され、各壁面が用紙の側端部分に当接されることにより用紙の位置が決定される。
また、後カーソル４０の奥側には、図５に示される如く、調整ストッパ（カーソル連動部）４３が設けられており、このストッパ４３を摘みながら後カーソル４０を複合機１の正面側に向けて底面３８に対して摺動させると、前カーソル４２も複合機１の背面側に向けて同時に摺動する。
【００２７】
より詳しくは、ガイド部材３７の裏面側において、前カーソル４２の適宜位置には、ラックが複合機１の背面側に向けて配設されている。このラックは前カーソル４２の摺動方向に沿って形成された歯を有している。これに対し、後カーソル４０の適宜位置にも、ラックが複合機１の正面側に向けて配設され、このラックは後カーソル４０の摺動方向に沿って形成された歯を有している。そして、これらラックの各歯は対峙しており、これら各歯は、ガイド部材３７に回転自在に支持されたピニオンにそれぞれ噛合されている。これにより、前カーソル４２は後カーソル４０の摺動に伴って摺動可能となる。
【００２８】
ところで、上述した調整ストッパ４３は、支持軸４５に対して回転自在に支持されたツマミ４７をそれぞれ有し、支持軸４５に対して各ツマミ４７の反対側、つまり、各ツマミ４７の先端には、対峙する内側面がそれぞれ設けられている。そして、本実施例では、上記調整ストッパ４３が微調整手段として機能する。
【００２９】
具体的には、図５（ｂ）にも示されるように、これら各内側面には雌ねじ４９が刻設されており、雌ねじ４９は、螺旋軸（回転軸）５０の外周面に刻設された雄ねじ５１に螺合可能に構成されている。一方、この螺旋軸５０はガイド部材３７にも螺合されており、螺旋軸５０の端部には、調整ダイアル５３が設けられている。
【００３０】
上述した底面３８に新たな用紙束が補充された場合には、ストッパ４３を有した後カーソル４０を摺動させると、同時に前カーソル４２も摺動し、用紙の位置は、前カーソル４２と後カーソル４０との間でほぼ決定される。
次いで、ストッパ４３を螺旋軸５０に固定し、その雌ねじ４９と雄ねじ５１とを螺合させておく。続いて、調整ダイアル５３を所定方向に回転すると、ストッパ４３が複合機１の正面側に向けて移動する。これに伴い、後カーソル４０を用紙Ｐに向けて滑らかに移動させるが、この移動は、各カーソル４０，４２の摺動とは異なり、刻設された雌ねじ４９の形状に沿った微少量で行われる。そして、後カーソル４０が用紙の側端部分に隙間なく当接するまで微調整を行う。
【００３１】
そして、上述した供給装置３を搭載した複合機１では、カセット４やトレイ５から用紙が１枚ずつ分離して送出され、この用紙は用紙搬送部６を介してレジストローラ７に到達する。このローラ７は、用紙の斜め送りを矯正しつつ、画像形成部１０で形成されるトナー画像とのタイミングを計りながら、用紙を転写部１１へと送出する。
【００３２】
また、図示しないコントローラからの画像データに基づき、複合機１では光学部１４によるレーザ光の照射が制御される。これにより、画像形成部１０においてドラム上に原稿画像の静電潜像が作られ、続いてこの潜像からドラム上にトナー画像が形成され、用紙に転写される。
その後、用紙は未定着トナー画像を担持した状態で定着部１２に向けて送られ、トナー画像を定着する。次いで、定着部１２から排出された用紙は排出分岐部１３を通ってトレイ１５に排出される。
【００３３】
この片面印刷に対し、両面印刷を行う場合には、定着部１２から排出された用紙はトレイ１５に排出される直前にてユニット１８側に引き戻され、この用紙は用紙搬送部６に合流し、再び転写部１１に向けて送られる。そして、この場合には、用紙の未だ印刷がされていない面にトナー画像が転写される。
ところで、上述の微調整手段は、用紙のサイズを決定するレールに設けられていても良い。
【００３４】
詳しくは、図６に示された螺旋軸５０もまた、上記実施例と同様に、ガイド部材３７に螺合され、この螺旋軸５０の端部には、調整ダイアル５３が設けられているものの、当該ガイド部材３７には、螺旋軸５０に螺合されるサイズ決定レール（カーソル位置決定部）６０が設けられている（図７）。
より具体的には、このレール６０は、特に図７（ｃ）に示される如く、複合機１の正面側から背面側に向けて延びた矩形状の本体６２を有し、ガイド部材３７内を移動可能に構成され、このレール６０が微調整手段として機能する。
【００３５】
つまり、この本体６２の外側面には雌ねじ６６が刻設されており、この雌ねじ６６は、螺旋軸５０の外周面に刻設された雄ねじ５１Ａに螺合可能に構成されている。
これに対し、この本体６２の内側面には凹凸溝６４が形成されている。なお、本実施例のストッパ４３Ａにおいて、各ツマミ４７の先端に対峙する内側面は略平坦状に形成され、その外側面が凹凸溝６４に係合可能に形成されている。
【００３６】
上述した底面３８に新たな用紙束が補充された場合には、ストッパ４３Ａを有した後カーソル４０を摺動させると、同時に前カーソル４２も摺動する。そして、ストッパ４３Ａを凹凸溝６４に固定すると、用紙の位置は、前カーソル４２と後カーソル４０との間でほぼ決定される。
続いて、レール６０の雌ねじ６６と螺旋軸５０の雄ねじ５１Ａとは予め螺合されているので、調整ダイアル５３を所定方向に回転すると、レール６０が複合機１の正面側に向けて移動する（図６）。
【００３７】
これに伴い、後カーソル４０を用紙Ｐに向けて滑らかに移動させるが、この移動は、上記実施例と同様に、刻設された雌ねじ６６の形状に沿った微少量で行われる。そして、後カーソル４０が用紙の側端部分に隙間なく当接するまで微調整が行われる。
一方、上述の微調整手段の他、他の微調整手段が前カーソル４２に設けられていても良い。
【００３８】
詳しくは、図８に示された後カーソル４０には、上記図６の実施例と同様に、螺旋軸５０に螺合されるサイズ決定レール６０が設けられているが、螺旋軸５０はガイド部材３７を貫通して前カーソル４２側にも延設している。そして、この螺旋軸５０において、後カーソル４０側には雄ねじ５１Ａが刻設されているのに対し、前カーソル４２側には、雄ねじ５１Ａの刻設方向とは逆方向の雄ねじ５２が刻設されている。
【００３９】
この雄ねじ５２には、調整片（他のカーソル連動部）７０が螺合可能に設けられており、この調整片７０が他の微調整手段として機能する。
調整片７０は、図９に示されるように、板状の本体７２を有し、その上部の適宜位置には取手孔７４が調整片７０を貫通して穿設されている。この取手孔７４の下方には、壁面８０に向けて突出した係合突起７５が突設されており（図１０）、この係合突起７５は、壁面８０にてその上下方向に穿設された解除用孔８２及び固定用孔８４にそれぞれ係合可能に構成されている。これにより、調整片７０は、底面３８、より詳しくはガイド部材３７に対して抜き差し可能になる。
【００４０】
さらに、調整片７０の本体７２は係合突起７５の下方に螺合面７６を有している。この螺合面７６は、本体７２の内部に向けて凹所をなす内側面を有し、この内側面に雌ねじ７７が刻設され、この雌ねじ７７は、螺旋軸５０の雄ねじ５２に螺合可能に構成されている。
上述した底面３８に新たな用紙束が補充された場合には、まず、調整片７０の係合突起７５を解除用孔８２に係合させておく（図１０（ｂ））。
【００４１】
この状態において、ストッパ４３Ａを有した後カーソル４０を摺動させると、同時に前カーソル４２も摺動し、用紙の位置は、前カーソル４２と後カーソル４０との間でほぼ決定される。次いで、取手孔７４を用いて調整片７０を下方に向けて降ろし、上記係合突起７５を固定用孔８４に係合させる（図１０（ａ））。これにより、調整片７０の雌ねじ７７と螺旋軸５０の雄ねじ５２とが螺合される。
【００４２】
そこで、調整ダイアル５３を所定方向に回転すると、レール６０が複合機１の正面側に向けて移動する。これに伴い、まず、後カーソル４０を用紙Ｐに向けて滑らかに移動させるが、この移動は、上記実施例と同様に、刻設された雌ねじ６６の形状に沿った微少量で行われる。そして、後カーソル４０が用紙の側端部分に隙間なく当接するまで微調整が行われる。
【００４３】
同時に、前カーソル４２も用紙Ｐに向けて滑らかに移動させるが、この移動は、上記実施例と同様に、刻設された雌ねじ７７の形状に沿った微少量で行われる。そして、前カーソル４２もまた、用紙の側端部分に隙間なく当接するまで微調整が行われる。
以上のように、本実施例によれば、用紙供給装置３は、カセット４の底面３８に対して摺動自在に支持され、用紙の側端部分に当接する用紙の幅合わせ部材を具備している。この幅合わせ部材は、用紙の側端部分に当接可能に構成された前カーソル４２及び後カーソル４０を備え、このカーソル４０はカーソル４２の摺動動作に連動する。
【００４４】
ここで、この後カーソル４０は、上述した調整ストッパ４３（或いはサイズ決定レール６０）によって、凹凸部材同士の噛合ではなく、この前カーソル４２に対して滑らかに微少移動する。詳しくは、後カーソル４０は螺旋軸５０を有しており、この螺旋軸５０の外周面には、ストッパ４３（サイズ決定レール６０）に刻設された雌ねじ４９（６６）に螺合する雄ねじ５１（５１Ａ）が刻設され、螺旋軸５０が回転すると、ストッパ４３（サイズ決定レール６０）は雄ねじ５１（５１Ａ）に沿って移動し、後カーソル４０の位置について無段階の微調整が可能になる。
【００４５】
このように、既定のピッチで調整する従来の構成よりも細やかな幅合わせ調整が可能になるし、また、上述した凹凸部材の如くの噛合の解除も生じないので、確実な幅合わせを行える。この結果、用紙幅合わせの真の微調整が達成される。
【００４６】
特に図５に示された調整ストッパ４３が後カーソル４０に連動可能に構成され、その内側面に雌ねじ４９が刻設されたストッパ４３であるので、螺旋軸５０が回転すると、ストッパ４３は雄ねじ５１に沿って移動し、後カーソル４０を無段階の微調整状態で移動させることができる。
しかも、上記構成によれば、従来に比して凹凸部材のピッチを細かくする必要が無くなるし、歯飛びも生じないロック機構になる。
【００４７】
さらに、特に図６,７に示されたサイズ決定レール６０は、その内側面に、用紙のサイズ変更に応じた後カーソル４０の位置を決定する凹凸溝６４を有しており、後カーソル４０の大まかな位置が決定可能になる。そして、その外側面に、雌ねじ６６が刻設されたレール６０であることから、螺旋軸５０が回転すると、レール６０は雄ねじ５１Ａに沿って移動する。よって、この場合にも後カーソル４０を無段階の微調整状態で移動させることができ、操作性に優れた微調整機構になる。
【００４８】
さらにまた、特に図８〜１０に示された調整片７０が前カーソル４２に連動可能に構成されている。そして、その内側面に雌ねじ７７が刻設された調整片７０である。一方、螺旋軸５０は、前カーソル４２側の外周面に、後カーソル４０側の外周面とは逆方向の雄ねじ５２が刻設されており、前カーソル４２は後カーソル４０の移動方向とは相反方向に移動可能に構成されている。よって、螺旋軸５０が回転すると、調整片７０は雄ねじ５２に沿って移動し、前カーソル４２も無段階の微調整状態で移動させることができる。
【００４９】
また、上述した調整片７０は、ガイド部材３７に対して抜き差し可能に構成されている。そして、微調整の不要な通常時には、螺旋軸５０との螺合が解除される一方、微調整の必要な調整時には、螺旋軸５０に螺合して前カーソル４２を微少移動させるので、簡易な構成で適切な幅合わせを行うことができる。
しかも、前カーソル４２及び後カーソル４０の双方が微調整可能になることから、より一層確実な各カーソル４０，４２の間隔に調整可能になる。
【００５０】
さらに、上述の如く用紙が常に一定の位置で複合機１に給紙されるので、用紙に対する画像形成の位置も常に一定になり、ミスプリントが防止される。よって、用紙やトナー等の無駄が抑制される。
本発明は、上記各実施例に限定されず、特許請求の範囲を逸脱しない範囲で種々の変更を行うことができる。例えば各実施例の構成は、その一部を省略したり、上記とは異なるように任意に組み合わせることができる。
【００５１】
また、上記実施例の螺旋軸５０はガイド部材３７に螺合されているが、底面３８に各カーソル４０，４２が立設されている場合には、螺旋軸５０は底面３８に螺合されていても良い。
さらに、上記実施例では画像形成装置として複合機に具現化した例を示しているが、本発明は複写機やネットワーク用の多機能周辺機器（ＭＦＰ）の他、プリンタ、ファクシミリやスキャナ等自体にも当然に適用可能である。
【００５２】
そして、これらいずれの場合にも、上記と同様に用紙幅合わせの真の微調整を行えるとの効果を奏する。
【図面の簡単な説明】
【００５３】
【図１】実施例１における複合機の斜視図である。
【図２】図１の複合機を概略的に示した垂直断面正面図である。
【図３】図１の用紙カセットの斜視図である。
【図４】図１の用紙カセットの斜視図である。
【図５】図１の用紙カセットの要部斜視図である。
【図６】実施例２における用紙カセットの要部斜視図である。
【図７】図６の要部斜視図である。
【図８】実施例３における用紙カセットの要部斜視図である。
【図９】図８の要部拡大図である。
【図１０】図８の要部断面図である。
【符号の説明】
【００５４】
１  複合機（画像形成装置）
３  用紙供給装置
４  用紙カセット（給紙部）
３８  底面
４０  後カーソル（第２カーソル）
４２  前カーソル（第１カーソル）
４３  調整ストッパ（カーソル連動部）
４９  雌ねじ
５０  螺旋軸（回転軸）
５１  雄ねじ
５１Ａ  雄ねじ
５２  雄ねじ
６０  サイズ決定レール（カーソル位置決定部）
６４  凹凸溝
６６  雌ねじ
７０  調整片（他のカーソル連動部）
７６  螺合面（内側面）
７７  雌ねじ
【図１】
2009126699.tif 000003
【図２】
2009126699.tif 000004
【図３】
2009126699.tif 000005
【図４】
2009126699.tif 000006
【図５】
2009126699.tif 000007
【図６】
2009126699.tif 000008
【図７】
2009126699.tif 000009
【図８】
2009126699.tif 000010
【図９】
2009126699.tif 000011
【図１０】
2009126699.tif 000012